【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
一般式（Ｉ）
【化１】
2004075864.tif 000001
（式中、Ｒ１、Ｒ２およびＲ３は、同一または異なって、置換もしくは非置換のアルキル、置換もしくは非置換のアリールまたは置換もしくは非置換のアラルキルを表すか、Ｒ１とＲ２が、隣接する炭素原子と一緒になってシクロアルキルを形成するか、またはＲ２およびＲ３が隣接するＣ−Ｃ−Ｏと一緒になって含酸素複素環を表す）で表される基を有する化合物、およびカルボキシル基と化学結合を形成しうる官能基を有する化合物を含有する樹脂組成物。
【請求項２】
一般式（Ｉ）で表される基を有する化合物が、一般式（ＩＩ）
【化２】
2004075864.tif 000002
（式中、Ｒ１、Ｒ２およびＲ３は、それぞれ前記と同義であり、Ｒ４およびＲ５は、同一または異なって、水素原子または低級アルキルを表す）で表される構造単位を有するビニル系ポリマーである請求項１記載の樹脂組成物。
【請求項３】
Ｒ１、Ｒ２およびＲ３が、同一または異なって低級アルキルである請求項１または２記載の樹脂組成物。
【請求項４】
Ｒ１およびＲ２が、同一または異なってメチルまたはエチルである請求項１〜３のいずれかに記載の樹脂組成物。
【請求項５】
一般式（ＩＩ）で表される構造単位を有するビニル系ポリマーの重量平均分子量が１，０００〜４００，０００である請求項２〜４のいずれかに記載の樹脂組成物。
【請求項６】
カルボキシル基と化学結合を形成しうる官能基を有する化合物が、エポキシ基またはオキサゾリニル基を有する化合物である請求項１〜５のいずれかに記載の樹脂組成物。
【請求項７】
カルボキシル基と化学結合を形成しうる官能基を有する化合物が、下記Ａ群、Ｂ群、Ｃ群またはＤ群から選ばれる化合物である請求項１〜５のいずれかに記載の樹脂組成物。
Ａ群：ｐ−グリシジルオキシスチレン、ｐ−グリシジルオキシ−α−メチルスチレン、ｐ−（３，４−エポキシシクロヘキシルメチルオキシ）スチレン、ｐ−（３，４−エポキシシクロヘキシルメチルオキシ）−α−メチルスチレン、グリシジルアクリレート、グリシジルメタクリレート、グリシジルエチレン、３，４−エポキシシクロヘキシルメチルエチレン、グリシジルビニルエーテル、３，４−エポキシシクロヘキシルメチルビニルエーテル、グリシジルアリルエーテルおよび３，４−エポキシシクロヘキシルメチルアリルエーテルからなる群
Ｂ群：上記Ａ群から選ばれる化合物を重合させて得られるビニル系ポリマーからなる群
Ｃ群：レゾルシノール、ハイドロキノン、ピロカテコール、ビスフェノールＡ、ジヒドロキシジフェニルメタン（ビスフェノールＦ）、ビスフェノールＳ、テトラブロモビスフェノールＡ、１，３−ビス（４−ヒドロキシフェニル）シクロヘキサン、４，４’−ジヒドロキシ−３，３’−ジメチルジフェニルメタン、４，４’−ジヒドロキシベンゾフェノン、トリス（４−ヒドロキシフェニル）メタン、ビス（４−ヒドロキシフェニル）エーテル、ノボラックフェノール、ノボラッククレゾール、ビス（４−ヒドロキシフェニル）スルホンおよびビス（３，５−ジメチル−４−ヒドロキシフェニル）スルホンならびにこれらの水素化物またはハロゲン化物とエピクロロヒドリンとを反応させて得られるグリシジルエーテルからなる群
Ｄ群：一般式（ＩＩＩ）
【化３】
2004075864.tif 000003
［式中、ｍは０〜４０の整数を表し、Ｒ６、Ｒ８、Ｒ９およびＲ１１は同一または異なって、ハロゲン置換もしくは非置換のアリーレン、またはハロゲン置換もしくは非置換のシクロアルキレンを表し、Ｒ７およびＲ１０は同一または異なって、メチレン、Ｃ（ＣＨ３）２、酸素原子、ＣＯ、硫黄原子またはＳＯ２を表す］で表される化合物からなる群
【請求項８】
カルボキシル基と化学結合を形成しうる官能基を有する化合物が、下記Ｅ群、Ｆ群、Ｇ群、Ｈ群またはＩ群から選ばれる化合物である請求項１〜５のいずれかに記載の樹脂組成物。
Ｅ群：１，２−ビス（２−オキサゾリン−２−イル）エタン、１，４−ビス（２−オキサゾリン−２−イル）ブタン、１，６−ビス（２−オキサゾリン−２−イル）ヘキサン、１，８−ビス（２−オキサゾリン−２−イル）オクタンまたは１，４−ビス（２−オキサゾリン−２−イル）シクロヘキサンにオキサゾリニル基が結合したオキサゾリニル化合物からなる群
Ｆ群：１，２−ビス（２−オキサゾリン−２−イル）ベンゼン、１，３−ビス（２−オキサゾリン−２−イル）ベンゼン、１，４−ビス（２−オキサゾリン−２−イル）ベンゼン、１，２−ビス（５−メチル−２−オキサゾン−２−イル）ベンゼン、１，３−ビス（５−メチル−２−オキサゾリン−２−イル）ベンゼンまたは１，４−ビス（５−メチル−２−オキサゾリン−２−イル）ベンゼンに２個のオキサゾリニル基が結合したオキサゾリニル化合物からなる群
Ｇ群：２，２’−ビス（２−オキサゾリン−２−イル）、２，２’−ビス（４−メチル−２−オキサゾリニル）および２，２’−ビス（５−メチル−２−オキサゾリニル）からなる群
Ｈ群：ヒドロキシアルキル−２−オキサゾリニルと多価イソシアナート化合物との反応により得られる多価オキサゾリニル化合物からなる群
Ｉ群：２−ビニル−２−オキサゾリン−２−イル−ビニル−４−メチル−２−オキサゾリン−２−イル−ビニル−５−メチル−２−オキサゾリン−２−イル−イソプロペニル−２−オキサゾリン−２−イル−イソプロペニル−４−メチル−２−オキサゾリン−２−イル−イソプロペニル−５−エチル−２−オキサゾリニルを含む原料を重合して得られるホモポリマーおよびコポリマー、ＣＸ−ＲＳ−１２００［（株）日本触媒製］ならびにＣＸ−ＲＳ−３２００［（株）日本触媒製］からなる群
【請求項９】
熱潜在性酸触媒または光酸発生剤を含有する請求項１〜８のいずれかに記載の樹脂組成物。
【手続補正２】
【補正対象書類名】明細書
【補正対象項目名】０００４
【補正方法】変更
【補正の内容】
【０００４】
【課題を解決するための手段】
本発明は、以下の（１）〜（９）を提供する。
（１）一般式（Ｉ）
【手続補正３】
【補正対象書類名】明細書
【補正対象項目名】０００８
【補正方法】変更
【補正の内容】
【０００８】
（式中、Ｒ１、Ｒ２およびＲ３は、それぞれ前記と同義であり、Ｒ４およびＲ５は、同一または異なって、水素原子または低級アルキルを表す）で表される構造単位を有するビニル系ポリマーである（１）記載の樹脂組成物。
（３）Ｒ１、Ｒ２およびＲ３が、同一または異なって低級アルキルである（１）または（２）記載の樹脂組成物。
（４）Ｒ１およびＲ２が、同一または異なってメチルまたはエチルである（１）〜（３）のいずれかに記載の樹脂組成物。
（５）一般式（ＩＩ）で表される構造単位を有するビニル系ポリマーの重量平均分子量が１，０００〜４００，０００である（２）〜（４）のいずれかに記載の樹脂組成物。
（６）カルボキシル基と化学結合を形成しうる官能基を有する化合物が、エポキシ基またはオキサゾリニル基を有する化合物である（１）〜（５）のいずれかに記載の樹脂組成物。
（７）カルボキシル基と化学結合を形成しうる官能基を有する化合物が、下記Ａ群、Ｂ群、Ｃ群またはＤ群から選ばれる化合物である（１）〜（５）のいずれかに記載の樹脂組成物。
Ａ群：ｐ−グリシジルオキシスチレン、ｐ−グリシジルオキシ−α−メチルスチレン、ｐ−（３，４−エポキシシクロヘキシルメチルオキシ）スチレン、ｐ−（３，４−エポキシシクロヘキシルメチルオキシ）−α−メチルスチレン、グリシジルアクリレート、グリシジルメタクリレート、グリシジルエチレン、３，４−エポキシシクロヘキシルメチルエチレン、グリシジルビニルエーテル、３，４−エポキシシクロヘキシルメチルビニルエーテル、グリシジルアリルエーテルおよび３，４−エポキシシクロヘキシルメチルアリルエーテルからなる群
Ｂ群：上記Ａ群から選ばれる化合物を重合させて得られるビニル系ポリマーからなる群
Ｃ群：レゾルシノール、ハイドロキノン、ピロカテコール、ビスフェノールＡ、ジヒドロキシジフェニルメタン（ビスフェノールＦ）、ビスフェノールＳ、テトラブロモビスフェノールＡ、１，３−ビス（４−ヒドロキシフェニル）シクロヘキサン、４，４’−ジヒドロキシ−３，３’−ジメチルジフェニルメタン、４，４’−ジヒドロキシベンゾフェノン、トリス（４−ヒドロキシフェニル）メタン、ビス（４−ヒドロキシフェニル）エーテル、ノボラックフェノール、ノボラッククレゾール、ビス（４−ヒドロキシフェニル）スルホンおよびビス（３，５−ジメチル−４−ヒドロキシフェニル）スルホンならびにこれらの水素化物またはハロゲン化物とエピクロロヒドリンとを反応させて得られるグリシジルエーテルからなる群
Ｄ群：一般式（ＩＩＩ）
【化４】
2004075864.tif 000004
［式中、ｍは０〜４０の整数を表し、Ｒ６、Ｒ８、Ｒ９およびＲ１１は同一または異なって、ハロゲン置換もしくは非置換のアリーレン、またはハロゲン置換もしくは非置換のシクロアルキレンを表し、Ｒ７およびＲ１０は同一または異なって、メチレン、Ｃ（ＣＨ３）２、酸素原子、ＣＯ、硫黄原子またはＳＯ２を表す］で表される化合物からなる群
（８）カルボキシル基と化学結合を形成しうる官能基を有する化合物が、下記Ｅ群、Ｆ群、Ｇ群、Ｈ群またはＩ群から選ばれる化合物である（１）〜（５）のいずれかに記載の樹脂組成物。
Ｅ群：１，２−ビス（２−オキサゾリン−２−イル）エタン、１，４−ビス（２−オキサゾリン−２−イル）ブタン、１，６−ビス（２−オキサゾリン−２−イル）ヘキサン、１，８−ビス（２−オキサゾリン−２−イル）オクタンまたは１，４−ビス（２−オキサゾリン−２−イル）シクロヘキサンにオキサゾリニル基が結合したオキサゾリニル化合物からなる群
Ｆ群：１，２−ビス（２−オキサゾリン−２−イル）ベンゼン、１，３−ビス（２−オキサゾリン−２−イル）ベンゼン、１，４−ビス（２−オキサゾリン−２−イル）ベンゼン、１，２−ビス（５−メチル−２−オキサゾン−２−イル）ベンゼン、１，３−ビス（５−メチル−２−オキサゾリン−２−イル）ベンゼンまたは１，４−ビス（５−メチル−２−オキサゾリン−２−イル）ベンゼンに２個のオキサゾリニル基が結合したオキサゾリニル化合物からなる群
Ｇ群：２，２’−ビス（２−オキサゾリン−２−イル）、２，２’−ビス（４−メチル−２−オキサゾリニル）および２，２’−ビス（５−メチル−２−オキサゾリニル）からなる群
Ｈ群：ヒドロキシアルキル−２−オキサゾリニルと多価イソシアナート化合物との反応により得られる多価オキサゾリニル化合物からなる群
Ｉ群：２−ビニル−２−オキサゾリン−２−イル−ビニル−４−メチル−２−オキサゾリン−２−イル−ビニル−５−メチル−２−オキサゾリン−２−イル−イソプロペニル−２−オキサゾリン−２−イル−イソプロペニル−４−メチル−２−オキサゾリン−２−イル−イソプロペニル−５−エチル−２−オキサゾリニルを含む原料を重合して得られるホモポリマーおよびコポリマー、ＣＸ−ＲＳ−１２００［（株）日本触媒製］ならびにＣＸ−ＲＳ−３２００［（株）日本触媒製］からなる群
（９）熱潜在性酸触媒または光酸発生剤を含有する（１）〜（８）のいずれかに記載の樹脂組成物。
【手続補正４】
【補正対象書類名】明細書
【補正対象項目名】００１４
【補正方法】変更
【補正の内容】
【００１４】
ここで示したアルコキシおよびアルコキシカルボニルのアルキル部分は、前記のアルキルと同義である。
ここで示したアルカノイルとしては、例えば、直鎖または分枝状の炭素数１〜７のアルカノイルがあげられ、具体的には、ホルミル、アセチル、プロピオニル、ブチリル、イソブチリル、バレリル、イソバレリル、ピバロイル、ヘキサノイル、ヘプタノイル等があげられる。
【手続補正５】
【補正対象書類名】明細書
【補正対象項目名】００１５
【補正方法】変更
【補正の内容】
【００１５】
ハロゲンは、フッ素、塩素、臭素、ヨウ素の各原子を意味する。  
アリールおよびアラルキルの置換基としては、例えば、アルキル、アルコキシ、アルカノイル、シアノ、ニトロ、ハロゲン、アルコキシカルボニル等があげられる。ここで、アルキル、アルコキシ、アルカノイル、ハロゲンおよびアルコキシカルボニルは、それぞれ前記と同義である。
【手続補正６】
【補正対象書類名】明細書
【補正対象項目名】００２７
【補正方法】変更
【補正の内容】
【００２７】
［式中、ｍは０〜４０の整数を表し、Ｒ６、Ｒ８、Ｒ９およびＲ１１は同一または異なって、ハロゲン置換もしくは非置換のアリーレン、またはハロゲン置換もしくは非置換のシクロアルキレンを表し、Ｒ７およびＲ１０は同一または異なって、メチレン、Ｃ（ＣＨ３）２、酸素原子、ＣＯ、硫黄原子またはＳＯ２を表す］で表される化合物等があげられる。一般式（ＩＩＩ）中の各基の定義において、ハロゲン置換アリーレンおよびハロゲン置換シクロアルキレンにおけるハロゲンは、前記ハロゲンと同義であり、その置換数は、好ましくは１〜５である。アリーレンとしては、前記アリールから水素原子を１つ除去したもの等があげられ、シクロアルキレンとしては、前記シクロアルキルから水素原子を１つ除去したもの等があげられる。前記のエポキシ基を有する化合物は、単独でまたは２種以上組み合わせて使用することができる。